(57)【特許請求の範囲】
【請求項１】
加工対象の栗を転がす転がし方向に延設された弾性材が敷かれた第１平面と、前記第１平面に対して略直角であり前記転がし方向に略平行な第２平面とを有する台座部と、
前記第１平面に対向する底面と、前記第２平面に対向する裏面と、前記転がし方向に沿って前記底面に立設された直線状の刃とを有するカッター部と、
を備え、
加工の際に、前記栗は、
ユーザによって前記第１平面に敷かれた前記弾性材及び前記第２平面に接した状態で前記台座部に載置され、
前記ユーザが前記カッター部の前記裏面を前記第２平面に当接させ、且つ、前記刃により前記栗を前記第１平面側に押さえ付けた状態で前記カッター部を前記転がし方向に移動させることにより、転がる
ことを特徴とする栗加工器。
【請求項２】
請求項１に記載の栗加工器であって、
前記カッター部は、２枚の板を張り合わせ、前記２枚の板の厚み方向の略中央に前記刃の背側を挟んで前記刃を固定している
ことを特徴とする栗加工器。
【請求項３】
請求項１または２に記載の栗加工器であって、
前記刃の先端は、鋭角である
ことを特徴とする栗加工器。
【請求項４】
請求項１〜３のいずれか一項に記載の栗加工器であって、
前記カッター部の前記裏面には、低摩擦材が設けられている
ことを特徴とする栗加工器。
【請求項５】
請求項１〜４のいずれか一項に記載の栗加工器であって、
前記弾性材は、前記第２平面から隙間を空けて設けられている
ことを特徴とする栗加工器。
【発明の詳細な説明】
【技術分野】
【０００１】
本発明は、栗に切込みを入れる作業に用いて好適な栗加工器に関する。
【背景技術】
【０００２】
栗を剥いたり、焼き栗等に調理したりする場合、栗の表面の鬼皮に切込みを入れる必要がある。従来、この作業は、片手に栗を持ち、ハサミやナイフを用いて行っている。ハサミやナイフを用いる作業は、１本の直線として切込みを入れられるようになるまで熟練を要する。また、作業者が誤って指等を負傷してしまう事故が発生し易い。
【０００３】
このような事故を防ぐため、例えば、特許文献１には、従来のハサミにおける交差する刃の一方の代わりに切刃体を、他方の代わりに栗受部を設けた茹で栗割り器が記載されている。
【先行技術文献】
【特許文献】
【０００４】
【特許文献１】特開２００６−４３３７７号公報
【発明の概要】
【発明が解決しようとする課題】
【０００５】
特許文献１に記載の茹で栗割り器によれば、作業者の事故は抑止できる。しかしながら、栗を１個ずつ手に持って行う作業は、数多くの栗を処理する場合に効率が悪い。
【０００６】
本発明は、このような状況に鑑みてなされたものであり、栗の鬼皮の周囲に切込みを入れる作業を効率良く実行できるようにすることを目的とする。
【課題を解決するための手段】
【０００７】
本願は、上記課題の少なくとも一部を解決する手段を複数含んでいるが、その例を挙げるならば、以下のとおりである。
【０００８】
上記課題を解決すべく、本発明の一態様に係る栗加工器は、底部に直線状の刃が配置されたカッター部と、弾性材が敷かれた第１平面と、前記第１平面に対して略直角に接続された第２平面とを有する台座部と、を備えることを特徴とする。
【０００９】
前記カッター部は、２枚の板を張り合わせ、前記２枚の板の厚み方向の略中央に前記刃の背側を挟んで前記刃を固定して形成することができる。
【００１０】
前記刃の先端は、鋭角とすることができる。
【００１１】
前記第２平面に対向する前記カッター部の裏面には、低摩擦材を設けることができる。
【００１２】
前記弾性材は、前記第２平面から隙間を空けて設けることができる。
【発明の効果】
【００１３】
本発明によれば、栗の鬼皮の周囲に切込みを入れる作業を効率良く実行することが可能となる。
【００１４】
上記した以外の課題、構成及び効果は、以下の実施形態の説明により明らかにされる。
【図面の簡単な説明】
【００１５】
【図１】図１は、本発明の一実施形態に係る栗加工器の構成例を示す斜視図である。
【図２】図２は、栗加工器の構成例を示す側面図である。
【図３】図３は、台座部の構成例を示す正面図である。
【図４】図４は、カッター部の構成例を示す図である。
【図５】図５は、台座部に栗を載置した状態の栗加工器を示す側面図である。
【図６】図６は、栗加工器の使用方法を説明するための図である。
【発明を実施するための形態】
【００１６】
以下、本発明に係る一実施形態を図面に基づいて説明する。なお、一実施形態を説明するための全図において、同一の部材には原則として同一の符号を付し、その繰り返しの説明は省略する。また、以下の実施形態において、その構成要素（要素ステップ等も含む）は、特に明示した場合および原理的に明らかに必須であると考えられる場合等を除き、必ずしも必須のものではないことは言うまでもない。また、「Ａからなる」、「Ａよりなる」、「Ａを有する」、「Ａを含む」と言うときは、特にその要素のみである旨明示した場合等を除き、それ以外の要素を排除するものでないことは言うまでもない。同様に、以下の実施形態において、構成要素等の形状、位置関係等に言及するときは、特に明示した場合および原理的に明らかにそうでないと考えられる場合等を除き、実質的にその形状等に近似または類似するもの等を含むものとする。
【００１７】
＜本発明の一実施形態に係る栗加工器１０の構成例＞
はじめに、本発明の一実施形態に係る栗加工器１０の構成例について、図１〜図４を参照して説明する。図１は、栗加工器１０の構成例を示す斜視図である。図２は、栗加工器１０の構成例を示す側面図である。図３は、台座部３０構成例を示す正面図である。図４は、カッター部２０の構成例を示す図であり、同図（Ａ）は正面図、同図（Ｂ）は裏面図、同図（Ｃ）は正面左側から見た側面図、同図（Ｄ）は正面右側から見た側面図である。
【００１８】
栗加工器１０は、カッター部２０、及び台座部３０を備える。
【００１９】
カッター部２０は、作業者が手で握り、台座部３０に押し当てながら横方向に移動させることにより、台座部３０に載置された栗５０（図６）を回転させて鬼皮の周囲に切込みを入れるものである。
【００２０】
カッター部２０は、略台形（本実施形態では、矩形の右上の頂点を切り落とした５角形）の底部の厚さ方向の略中央に直線状の刃２２を有する。カッター部２０は、略台形の正面板２１Ａと裏面板２１Ｂとが例えばネジによって密着されており、その底部において正面板２１Ａと裏面板２１Ｂとの間に刃２２の背側を挟むことによって刃２２を固定している。
【００２１】
正面板２１Ａ、及び裏面板２１Ｂには、例えば、木材等のように所定の強度を有する材料が用いられる。
【００２２】
刃２２は、略長方形であり、その先端が鋭角に形成されている。これにより、栗５０に対して刃２２を突き刺すことができる。よって、栗５０に対する切込みの初期位置を確実に定めることができる。なお、刃２２には、平行四辺形の市販のカッター刃を用いることができる。
【００２３】
カッター部２０の裏面、すなわち、裏面板２１Ｂの正面板２１Ａと張り合わされていない方の面には、例えば、フッ素樹脂からなる低摩擦材２３が設けられている。これにより、カッター部２０を台座部３０に押し当てながら滑らかに移動させることができる。
【００２４】
カッター部２０は、正面板２１Ａと裏面板２１Ｂとを密着させているネジを外すことによって分解可能であり、刃２２や低摩擦材２３を容易に交換できるようになされている。
【００２５】
なお、図示したカッター部２０は、右利きの作業者が右手で傾斜部分を握り、左方向に移動させる作業を想定したものである。左利きの作業者が左利きの場合、左右を反転したもの、すなわち、略台形の傾斜部分を左側に設け、刃２２の右側の先端を鋭角にしたカッター部２０を用意して、カッター部２０を右方向に移動させればよい。
【００２６】
台座部３０は、栗５０を載置するためのものであり、主に木材等の所定の強度を有する材料によって形成される。
【００２７】
台座部３０は、所定の硬度と柔軟性を併せ持つウレタンゴム等の弾性材３３が敷かれた第１平面３１と、第１平面３１に対して略直角に接続された第２平面３２とを有する。なお、弾性材３３は、第２平面３２に対して所定幅の隙間ｇを空けて第１平面３１に接着されている。ただし、隙間ｇは必須ではなく、弾性材３３が第２平面３２に接していてもよい。
【００２８】
また、台座部３０は、略直角に接続された第１平面３１及び第２平面３２を、所定の角度α（例えば、４５°）で取付部材３５に固定するための固定部材３４と、作業机（不図示）等に台座部３０を取り付けるための取付部材３５とを有する。
【００２９】
略直角に接続された第１平面３１及び第２平面３２を所定の角度αで取付部材３５に固定することにより、載置された栗５０の姿勢を安定させることができる。
【００３０】
＜栗５０の載置例＞
次に、図５は、台座部３０に栗５０を載置した状態を示す側面図である。
【００３１】
栗５０は、その平らな側面を第２平面３２に向けて弾性材３３の上に載置される。なお、同図は、栗５０の底部が見えている状態を示している。栗５０を所定の硬度を有する弾性材３３の上に載置することにより、カッター部２０を栗５０に押し付けて横方向に移動した場合の栗５０の滑りを抑止できる。また、栗５０が弾性材３３にめり込むので、栗５０をその形状の違いに拘らず容易に回転させることができる。また、第２平面３２と弾性材３３との間に隙間ｇを設けたことにより、栗５０がカッター部２０によって台座部３０に押し付けられると、隙間ｇ側に弾性材３３が凹んで栗５０が若干めり込み、栗５０の応力が分散されるので、栗５０の姿勢をより安定させて回転させることができる。さらに、カッター部２０を第２平面３２に押し当てて横方向に移動した場合、刃２２の高さ（第２平面３２からの距離）が一定となるので、回転される栗５０の全周に対して直線状の切込みを入れることができる。
【００３２】
＜栗加工器１０の使用方法＞
次に、図６は、栗加工器１０の使用方法を説明するための図である。
【００３３】
はじめに、同図右上段に示すように、作業者が、栗５０の平らな側面を第２平面３２に向け、その先端を左側に向けて弾性材３３の上に載置する。そして、作業者が、カッター部２０の低摩擦材２３を第２平面３２に当接させた状態で、刃２２の先端を栗５０に突き刺す。
【００３４】
次に、同図左上段、中段、下段に示すように、作業者が、栗５０に刃２２が刺さった状態で、低摩擦材２３を第２平面３２に当接させ、且つ、栗５０を第１平面３１側に押さえ付けながらカッター部２０を左方向に移動させる。これにより、栗５０は左回転し、鬼皮の全周に直線状の切込みが入れられる。切込み加工済みの栗５０は、台座部３０の横に配置された箱（または袋）５１に落下する。
【００３５】
なお、栗加工器１０は、栗５０の全周に切込みを入れる場合だけでなく、栗５０の周囲の一部に切込みを入れる場合にも使用できる。
【００３６】
＜まとめ＞
本実施形態の栗加工器１０によれば、台座部３０に載置した栗５０に対し、刃２２の先端を突き刺してカッター部２０を左方向に１回移動させるだけで、栗５０の鬼皮の全周に直線状の切込みを入れることができる。よって、栗５０の鬼皮の切込みを入れる作業を効率良く行うことができる。
【００３７】
また、栗加工器１０によれば、栗５０を手に持つことなく安全に作業を行うことができる。
【００３８】
さらに、栗加工器１０によれば、カッター部２０の刃２２として、市販のカッター刃を用いることができるので、栗加工器１０の運用コストを抑えることができる。
【００３９】
本明細書に記載された効果はあくまで例示であって限定されるものではなく、他の効果があってもよい。
【００４０】
本発明は、上記した実施形態に限定されるものではなく、様々な変形例が含まれる。例えば、上記した各実施形態は、本発明を分かりやすく説明するために詳細に説明したものであり、本発明が、必ずしも説明した全ての構成要素を備えるものに限定されるものではない。また、ある実施形態の構成の一部を、他の実施形態の構成に置き換えることが可能であり、ある実施形態の構成に、他の実施形態の構成を加えることも可能である。また、各実施形態の構成の一部について、他の構成の追加・削除・置換をすることが可能である。
【００４１】
例えば、本発明は、栗５０以外の種子、果実、農作物等に切込みを入れたり、皮をむいたりする加工器としても提供できる。また、加工方法等の態様で提供できる。
【符号の説明】
【００４２】
１０・・・栗加工器、２０・・・カッター部、２１Ａ・・・正面板、２１Ｂ・・・裏面板、２２・・・刃、２３・・・低摩擦材、３０・・・台座部、３１・・・第１平面、３２・・・第２平面、３３・・・弾性材、３４・・・固定部材、３５・・・取付部材、５０・・・栗、５１・・・箱
【要約】      （修正有）【課題】栗の鬼皮の周囲に切込みを入れる作業を効率良く実行する。【解決手段】カッター部２０は、作業者が手で握り、台座部３０に押し当てながら横方向に移動させることにより、台座部３０に載置された栗を回転させて鬼皮の周囲に切込みを入れる。カッター部２０は、略台形の底部の厚さ方向の略中央に直線状の刃２２を有する。カッター部２０は、略台形の正面板２１Ａと裏面板２１Ｂとが例えばネジによって密着されており、その底部において正面板２１Ａと裏面板２１Ｂとの間に刃２２の背側を挟むことによって刃２２を固定している。【選択図】図１【図１】
0006758726.tif 000002
【図２】
0006758726.tif 000003
【図３】
0006758726.tif 000004
【図４】
0006758726.tif 000005
【図５】
0006758726.tif 000006
【図６】
0006758726.tif 000007